(57)【要約】【課題】  任意の接続形態にしたい場合はマルチメディアボックスを取り替えたり、余分なスペースのあるマルチメディアボックスを設置する以外の方法がなかった。【解決手段】  本発明は、収納箱１底辺の開口部３にスポンジやゴムなどの軟らかい防止具４の一部を固定すれば重力により埃流入防止となる。この場合ケーブル６を外部に取出すには収納箱１に固定されていない防止具４部分と収納箱１の間よりケーブル６を通すことにより可能となる。【選択図】  図４
2007282378.tif 000002
【特許請求の範囲】
【請求項１】
壁面や床面にはケーブル取出し口はあるが、その他に多数のＬＡＮケーブル・電話線などを取出し可能な開口部を設けたマルチメディアボックス
【請求項２】
請求項１において多数のＬＡＮケーブル・電話線などを取出しできる一部を固定しないで埃・塵などが流入することを防ぐ防止具を設置した開口部を持つマルチメディアボックス
【請求項３】
請求項１において開口部からマルチメディアボックス内の設置場所までの埃・塵流入経路を長くして埃・塵などが流入することを防止したマルチメディアボックス
【請求項４】
請求項１において埃・塵流入箇所にＬＡＮケーブル結束具を配置して埃・塵などが流入することを防止したマルチメディアボックス
【請求項５】
請求項１において収納箱の底面に開口部を設置することで,埃流入防止となる防止具を重力により安定設置したマルチメディアボックス
【請求項６】
請求項１において収納箱に毛のような柔軟かつ開口部を覆うことができる防止具を設置することにより埃流入防止したマルチメディアボックス
【請求項７】
請求項１において収納箱の開口部にメッシュ状で柔軟なゴムのような防止具を設置することで埃流入防止するマルチメディアボックス
【請求項８】
請求項１において収納箱と収納箱蓋の間を狭くする。また、収納箱蓋と結束具を磁力により付けあわす、または単に嵌め合わす構造とすることで埃流入防止するマルチメディアボックス
【請求項９】
請求項１において収納箱の開口部に一部が重なるように設置されたゴムなどでできた防止具を設置することでケーブル取出しと埃流入防止するマルチメディアボックス
【請求項１０】
請求項１において収納箱の開口部にスポンジのような軟らかいものにケーブルが通るように切り込みがある防止具を設置することでケーブル取出しと埃流入防止するマルチメディアボックス
【請求項１１】
請求項１において収納箱の開口部に防止具となる引き戸をもうけ、引き戸を開けた分のみケーブルは取出されるが、他の開口部は閉じて埃流入防止となるマルチメディアボックス
【請求項１２】
請求項１において収納箱に多数のケーブルを取出し可能な複数の開口部を持ち、開口部を利用しない時はキャップや開閉式扉で閉じているマルチメディアボックス
【発明の詳細な説明】
【技術分野】
【０００１】
本発明は、ＬＡＮ・電話ケーブル集合端子や通信機器を内包したマルチメディアボックスにおいて、外部に置いたハブなどの通信機器との接続を容易にするものである。
【背景技術】
【０００２】
ハブやルータ等の通信機器は通信ポートを具備して、各種情報の伝送路である信号線が壁面もしくは床面より通信ポートに接続されており、これらの通信機器はマルチメディアボックス内に収納し、あるいは単体で設置されて用いられていた。
【０００３】
このような通信機器を接続するにはマルチメディアボックス内部に通信機器を設置して内部での接続や外部に露出したＬＡＮ差込口などの特定の差込口を利用していたが、壁面にはケーブル取出し開口部があっても、壁面以外にはなかったので、任意の接続形態に対応するには内部に通信機器を増設あるいはマルチメディアボックスを取替えていた。
【発明の開示】
【発明が解決しようとする課題】
【０００４】
マルチメディアボックス内の設置機器収納スペース利用や外部に露出したＬＡＮ差込口利用ではマルチメディアボックス付近に通信機器を設置できないことがあり、任意の接続形態に対応するには不便である。
【課題を解決するための手段】
【０００５】
請求項１ではマルチメディアボックス自体にＬＡＮケーブル等の各種ケーブルを多数取出し可能な開口部を壁面・床面以外に設ける。
【０００６】
この発明によれば、マルチメディアボックスに通信機器設置スペースがない場合でも外部にケーブルを取出せば、外部に自由自在に通信機器を設置できるので任意の接続形態に対応できる。
【０００７】
請求項２〜１２は多数のケーブルを取出せるマルチメディアボックス開口部から埃・塵を流入しないようにする。
【０００８】
この発明によれば、マルチメディアボックス内に埃・塵が流入防止具や防止具兼用に結束具などを設置するので、埃・塵が詰ることによる内部収納機器故障を防止できる。
【発明の効果】
【０００９】
以上説明したように、本発明では、マルチメディアボックス内からＬＡＮケーブル等のケーブル自体を自在に取出せるので、任意の接続形態に対応可能とするとともに、マルチメディアボックス内部に埃・塵が流入することも防止する。
【発明を実施するための最良の形態】
【００１０】
図１に示すマルチメディアボックスの収納箱１には収納箱蓋２の間に開口部３があり、開口部３には埃流入防止するスポンジやゴムのような軟らかい防止具４が一部固定されずに設置されている。
【００１１】
収納箱１内部に設置されているハブ等の端子台５などの通信機器に接続されているケーブル６はケーブル６を束ねる結束具７や一部固定されていない防止具４を通り収納箱１外部に取出される。
【実施例１】
【００１２】
図２は収納箱１の側面に多数のケーブルを取出し可能な複数の開口部３を持ち、開口部３を利用しない時はキャップ８で閉じている。
【００１３】
この場合の開口部３とキャップ８はネジや凹凸形状により止めることができる。
【実施例２】
【００１４】
図３では収納箱１底辺の開口部３にキャップ８を内部より嵌める場合はネジや凹凸形状でなくとも重力により簡易に埃流入防止ができる。
【実施例３】
【００１５】
図４では収納箱１底辺の開口部３にスポンジやゴムなどの軟らかい防止具４の一部を固定すれば重力により埃流入防止となる。
【００１６】
この場合ケーブル６を外部に取出すには収納箱１に固定されていない防止具４部分と収納箱１の間よりケーブル６を通すことにより可能となる。
【実施例４】
【００１７】
図５では収納箱１底辺の開口部３に毛のような柔軟かつ開口部３を覆うことができる防止具４を設置することにより埃流入防止ができる。
【００１８】
この場合ケーブル６はこの毛のような柔軟かつ開口部３を覆うように設置された防止具４の間から取出されるのでケーブル６取出しと埃流入防止が可能となる。
【実施例５】
【００１９】
図６では収納箱１底辺の開口部３にメッシュ状で柔軟なゴムのような防止具４を設置することで埃流入防止をしている。
【００２０】
この場合ケーブル６はメッシュ状の防止具４の間から取出されるのでケーブル６取出しと埃流入防止が可能となる。
【実施例６】
【００２１】
図７では埃流入経路を長くとりしかも結束具７を埃流入経路に設置ことにより埃流入防止をしている。
【００２２】
この場合に開口部３から収納箱蓋２と収納箱１の間、収納箱１底辺までが埃流入経路となり、この流入経路が長いことやこの流入経路に結束具７を設置することにより埃流入防止している。また、この流入経路よりケーブル６を取出している。さらに収納箱１と収納箱蓋２の間を狭くする。また、収納箱蓋２と結束具７を磁力により付けあわす、または単に嵌め合わす構造とすることで防止具としての役割は強化される。
【実施例７】
【００２３】
図８では埃流入経路を長くとりしかも結束具７を埃流入経路に設置することにより埃流入防止をし、さらに防止具４を収納箱蓋２に設置することにより埃流入防止強化している。図８では結束具７の上に設置されているが収納箱蓋２の他の場所でも可能である。
【００２４】
この場合にケーブル６は収納箱１に設置された結束具７をとおり外部に取出される。埃流入は防止具４・結束具７・長い埃流入経路が防止する。
【実施例８】
【００２５】
図９は収納箱１底辺の開口部３に一部が重なるように設置されたゴムなどでできた防止具４を設置することでケーブル６取出しと埃流入防止としている。
【００２６】
この場合ケーブル６は重なり合う防止具４の間を通り取出される。
【実施例９】
【００２７】
図１０は収納箱１の開口部３のみであり、その中にスポンジのような軟らかいものにケーブル６が通るように切り込みがある防止具４を設置することでケーブル６取出しと埃流入防止としている。
【００２８】
この場合にケーブル６は防止具４の切り込みから外部に取出される。
【実施例１０】
【００２９】
図１１は収納箱１の開口部３に防止具となる引き戸９をもうけている。これにより引き戸９を開けた分のみケーブル６は取出されるが、他の開口部３は閉じているので埃流入防止となる。
【００３０】
この場合ケーブル６は引き戸が開けられた部分の開口部３より取出される。その他の部分は閉められているので防止具として埃流入を防止する。
【産業上の利用可能性】
【００３１】
マルチメディア収納箱１内部の通信線を外部通信機器と自在に接続できるので任意の接続形態に対応可能となる。
【図面の簡単な説明】
【００３２】
【図１】この発明の実施例を示す側面切断図である。
【図２】この発明の実施例１を示す側面切断図である。
【図３】この発明の実施例２を示す底面切断図である。
【図４】この発明の実施例３を示す底面図である。
【図５】この発明の実施例４を示す底面図である
【図６】この発明の実施例５を示す底面図である
【図７】この発明の実施例６を示す側面切断図である。
【図８】この発明の実施例７を示す側面切断図である。
【図９】この発明の実施例８を示す側面切断図である。
【図１０】この発明の実施例９を示す開口部拡大図である。
【図１１】この発明の実施例１０を示す正面切断図である。
【符号の説明】
【００３３】
１・・・収納箱
２・・・収納箱蓋
３・・・開口部
４・・・防止具
５・・・ハブ等の端子台
６・・・ケーブル
７・・・結束具
８・・・キャップ
９・・・引き戸
【図１】
2007282378.tif 000003
【図２】
2007282378.tif 000004
【図３】
2007282378.tif 000005
【図４】
2007282378.tif 000006
【図５】
2007282378.tif 000007
【図６】
2007282378.tif 000008
【図７】
2007282378.tif 000009
【図８】
2007282378.tif 000010
【図９】
2007282378.tif 000011
【図１０】
2007282378.tif 000012
【図１１】
2007282378.tif 000013